Podtech/llm-jp-corpus-v4-ja_patent huggingface dataset:
(57)【要約】      （修正有）【課題】フロアープレート横で、メインアームとサブアームが交差して動くため、挟まれたりする危険がある。【解決手段】折畳み式セフティガードを設置し、フロアープレートｅ両側のガイド用溝を廃止し、ガイドレールｄを設置する。【選択図】図２
2010076731.tif 000002
【特許請求の範囲】
【請求項１】
フロアープレート上両側に、折畳み式のセフティガードを固定して設置したフロアープレートの構造。
【請求項２】
2010076731.tif 000003
ールを設置したフロアープレートの構造。
【発明の詳細な説明】
【技術分野】
【０００１】本発明はトラック輸送全般において使用される床下収納式リフト（構造：特願２００４−０６８７８０）において、荷役作業を安全確実に行うために考案されたリフトの荷台（フロアープレート）である。
【背景技術】
【０００２】床下収納式リフト（構造：特願２００４−０６８７８０）は小型トラックの後部や横にも取付可能であるなど、従来型の床下収納型リフト（特許公開２００３−１７５７６０など）に無い優れた特徴を有しているが、荷台であるフロアープレートの両側にメインアームとサブアームが交差し、挟まれる可能性があるという、安全性に問題があった。【０００３】しかしながら、フロアープレート両側のガイド用長穴溝による強度の問題や格納時の収納高さの制約があった。
【発明の開示】
【発明が解決しようとする課題】
【０００４】床下収納式リフト（構造：特願２００４−０６８７８０）の荷台たるフロアープレートの構造を改善し、プレート上での積み下ろしの荷役作業が安全、確実に行なえるようにする。
【課題を解決するための手段】
【０００５】フロアープレート上に折畳み式のセフティガードを設置するためにフロアープレート両側の構造を見直し、ガイド用溝加工を止め、ガイドレールを設置することで強度も増し、収納高さもクリアーすることを可能とする。
【発明を実施するための形態】
【０００６】請求項１〜２に記載の本発明に係るフロアープレートの構造の説明として図１は従来の床下収納式リフト（構造：特願２００４−０６８７８０）の全体概要図であり図２は本発明（請求項１〜２）を実施した後の概要図である。
【図面の簡単な説明】
【０００７】
【図１】従来の床下収納式リフトの全体概要図である。
【図２】本発明（請求項１〜２）を実施した後のフロアープレート構造を説明した図である。
【図１】
2010076731.tif 000004
【図２】
2010076731.tif 000005
(57)【要約】      （修正有）【課題】画鋲やピンは形態が小さく、扱いによっては取り落として見失ってしまった場合でも、先鋭なピンが上を向いたまま放置されることがなく、放置された画鋲やピンが危険な状態に放置されることのない安全性のある画鋲またはピンを提供する。【解決手段】可塑性の材質によって楕円形台板（１）の上部に半円形状のつまみ（２）を一体に形成し、楕円形台板の底面を舟形形状にし、ピン（３）を舟底形状にした楕円形台板（１）の中心下部に設ける。【選択図】図１
2010076406.tif 000002
【特許請求の範囲】
【請求項１】
可塑性材質からなる楕円形台板の上部に半円形状のつまみを設け、楕円形台板の底面を舟底形状にし、楕円形台板の中心下部にピンを設けたことを特徴とする舟型ピン。
【発明の詳細な説明】
【技術分野】
【０００１】  この発明は、可塑性材質からなる楕円形台板の上部に半円形のつまみを設け、楕円形台板の底面を舟底形状にし、楕円形台板の下部にピンを設けたことを特徴とする舟型ピンに関するものである。
【背景技術】
【０００２】  従来、画鋲やピンは形態が小さく、扱いによっては取り落として見失うこともあり、これには先鋭なピンが付いていて、ピンが上を向いたまま放置されると極めて危険な状態に置かれることが多い。
【発明の開示】
【発明が解決しようとする課題】
【０００３】  扱いを過って取り落としても発見しやすく、ピンが上を向いた状態にならないようにしたものである。
【課題を解決するための手段】
【０００４】  上記欠点を解決するため、ここに特許請求の範囲を記載する本発明は可塑性材質からなる楕円形台板（１）の上部に半円形のつまみ（２）を設け、楕円形台板（１）の底面を舟底形状にし、楕円形台板の中心下部にピン（３）を設けたものである。
【発明の効果】
【０００５】  本発明の舟型ピンは、可塑性の材質によって楕円形台板（１）およびつまみ（２）を一体に形成され、ピン（３）は舟底形状にした楕円形台板（１）の下部に設ける。
【発明を実施するための最良の形態】
【０００６】  以下、本発明の実施の形態を説明する。可塑性材質からなる楕円形台板（１）の上部に半円形のつまみ（２）を設け、楕円形台板（１）の底面を舟底形状にし、楕円形台板の下部にピン（３）を設ける。
本発明によってピンを過って取り落としても発見しやすく、危険なピンの尖端は下を向いた状態にあり、安全性を保つことができる。
【図面の簡単な説明】
【０００７】
【図１】  本発明の斜視図である。
【図２】  本発明の平面図である。
【図３】  本発明の側面図である。
【符号の説明】
【０００８】  １  台板
２  つまみ
３  ピン
【図１】
2010076406.tif 000003
【図２】
2010076406.tif 000004
【図３】
2010076406.tif 000005
(57)【要約】【課題】  脚が平行開脚する製図用コンパスを提供する。【解決手段】  平行四辺形の平行移動機能をもつパンタグラフの２連結機構を介して、センターポイント主脚とペン先を持つドローイング脚の可変ピン結合によるコンパス両脚の平行開脚を特徴とする製図用平行開脚コンパス。【選択図】図３
2010076407.tif 000002
【特許請求の範囲】
【請求項１】
コンパスのセンターポイントとなる主脚部に、常に平行四辺形を保ち主脚に対し平行開脚するパンタグラフ機構を２連結してドローイングポイント脚を支持して成ることを特徴とする平衡開脚コンパス。
【請求項２】
前項の請求項１の考案において、コンパスを回して円を描く時の軸回転ツマミを、パンタグラフ機構の中間部の補助脚上に取り付けて成ることを特徴とする平行開脚コンパス。
【請求項３】
前項の請求項１、請求項２の考案において、ドローイングポイント脚の先を針のようなもにしたデバイダー。
【発明の詳細な説明】
【技術分野】
【０００１】本発明は、センターポイントとなる主脚部に、パンタグラフ機構の２連結を介してドローイングポイント脚を取り付けた製図用コンパスに関するものである。
【背景技術】
【０００２】従来、コンパスはセンターポイントの主脚部とドローイングポイントのぺん先付きの脚部はそれぞれの脚の端部の１点で連結され、開脚に当たり角度をもって開いていた。
【発明の開示】
【発明が解決しょうとする課題】
【０００３】コンパスには次のような問題点があった。
（イ）コンパスは角度を持って開脚するので、センターポイントの主脚部とペン部のドローイングポイントのペン先が平行を保てないので、別途ペン先の連結部のネジを調節して平行にする必要があった。
（ロ）描く円のサイズが変わるごとに、センターポイントの主脚部とドローイングポイントのペン先の平行を保つためのネジ調整が必要であった。
【課題を解決するための手段】
【０００４】コンパスのセンターポイントとなる主脚部に、その主脚部と平行を保つための平行四辺形のパンタグラフ形状の機構を２連結してペン先を持つドローイングポイント脚部に連結する。脚部を２連結のパンタグラフ機構で結合して成る平行開脚を特徴とする平行開脚コンパスである。
【発明の効果】
【０００５】コンパスを開脚するときは、その大円、小円に対応して自動的にセンターポイントの主脚部とペン先を持つドローイングポイント脚が平行を保ち、きれいな円周を確実に描くことができる。
【発明を実施するための最良の形態】
【０００６】  以下、本発明の形態について説明する。
（イ）センターポイントの主脚（１）にドローイングポイント脚（２）を平行四辺形をなし、平行移動機能をもつ２連結のパンタグラフ機構（３、４）を介して接続する。
（ロ）パンタグラフ機構（３）はセンターポイント主脚（１）と補助脚（５）を２本の補助棹（６）により可変ピン連結して構成する。
（ハ）パンタグラフ機構（４）は補助脚（５）とドローイングポイント脚（２）を２本の補助棹（６）により可変ピン連結して構成する。
（ニ）パンタグラフ機構（３）とパンタグラフ機構（４）の２連結は、双方のパンタグラフ機構の持つ補助脚（５）を合体共通化することにより構成する。
（ホ）円を描くときのコンパス回転のための軸回転ツマミ（７）は、請求項１の考案では、センターポイント脚上に設ける。
（ヘ）円を描く時のコンパス回転のための回転軸ツマミ（７’）は、請求項２の考案では、補助脚上に設ける。
本発明は以上のような構成で、円を描く時は、センターポイント主軸（１）を摘まみ、もう一方の手でドローイングポイント脚（２）を摘まみ、描く円の半径寸法に合わせて引き分け開脚し、軸回転ツマミ（７）を持って円を描く。尚、本考案の２重パンタグラフ機構により、脚をいかなる開脚度に開いても、センターポイント主軸（１）とドローイングポイント脚（２）が平行状態を保ち、紙面または基盤上にセンターポイント主脚（１）を垂直に立てるときは、調整なしに同時に、ドローイングポイント脚（２）のペン先も垂直となり。直ちに精度の高い円または円弧を描けることを特徴とした平行開脚コンパスである。また、ドローイングポイント脚（２）のペン先を針のようなものに交換するとデバイダーとして使用できる。
【実施例】
【０００７】図３に示すように、軸回転ツマミ（７）をセンターポイント主脚（１）上でなく、パンタグラフ中央に位置する補助脚（５）上に取り付けてもよい。また、ドローイングポイント脚（２）のペン先を針のようなものに交換するとデバイダーとして使用できる。
（イ）センターポイント主脚（１）とドローイングポイント脚（２）のペン先との密着を必要としなければ、即ち極小円を描く必要のない用途には、補助脚（５）上に軸回転ツマミ（７’）がある方が機構が簡素になる。
（ロ）ドローイングポイント脚（２）のペン先に圧力をかけて濃く円を描く必要のある用途には、補助脚上に軸回転ツマミ（７’）がある方がよい。
【図面の簡単な説明】
【０００８】
【図１】本発明の斜視図
【図２】本発明の平行開脚コンパス脚を閉じた斜視図
【図１】本発明の軸回転ツマミを補助脚上に取り付けた実施例を示す斜視図
【符号の説明】
【０００９】  １  センターポイント主脚
２  ドローイングポイント脚
３  パンタグラフ機構（１）
４  パンタグラフ機構（２）
５  補助脚
６  補助棹
７  軸回転ツマミ
７’  軸回転ツマミ
【図１】
2010076407.tif 000003
【図２】
2010076407.tif 000004
【図３】
2010076407.tif 000005
【手続補正書】
【提出日】平成21年2月18日(2009.2.18)
【手続補正１】
【補正対象書類名】明細書
【補正対象項目名】０００８
【補正方法】変更
【補正の内容】
【０００８】
【図１】  本発明の斜視図
【図２】  本発明の平行開脚コンパス脚を閉じた斜視図
【図３】  本発明の軸回転ツマミを補助脚上に取り付けた実施例を示す斜視図
(57)【要約】【課題】ノート又は事務用箋紙の特定罫線に、正方形になる印を１ケ所又は２ケ所付け、印の上を通る直線で正方形を表示し、折り紙として提供する。【解決手段】糊しろ１が上辺６にある縦２５０ｍｍ、横１８０ｍｍ、各罫線１６０ｍｍ、左右１０ｍｍの余白のあるノート又は事務用箋で、特定罫線３の両端部をＡ、Ａ′とし、左右に伸ばして両側辺７との交わりを側点Ｂ、Ｂ′とし、両側辺７と底辺８との交わりを角点Ｄ、Ｄ′とする。側点Ｂと角点Ｄ間、側点Ｂ′と角点Ｄ′間を１８０ｍｍにして、Ｂ、Ｄ、Ｄ′、Ｂ′の各点を１８０ｍｍの直線で繋げば正方形になる。即ち、特定罫線３の端部Ａに十字印５を１点付けておけば、十字印５より水平に線を画すると正方形４が表示される。【選択図】図２
2010076408.tif 000002
【特許請求の範囲】
【請求項１】
ノート又は事務用箋の特定罫線に、１点又は２点の印を付け、印の上を通る直線によって、正方形が表示されることを特徴とするノート又は事務用箋。
【請求項２】
印を付けたノート又は事務用箋が、使用済又は使用途中で廃棄処分になる場合は、印により正方形に切り取り、無料の折り紙にして、練習用又は折ることによる脳の活性化に貢献出来ることを特徴とするノート又は事務用箋。
【発明の詳細な説明】
【技術分野】
【０００１】  本発明は、ノート又は事務用箋に正方形になる印を付け、廃棄処分になる時、印により正方形に切り取り、折り紙としての活用に関することである。
【背景技術】
【０００２】  身の回りにある紙は、大部分サイズが一定せぬ長方形で、一定の正方形にするには、時間と手間がかかる。【０００３】  折り紙を練習するには、折り紙を購入する経済的負担が発生することは当然のことである。【０００４】  脳活性化に電化製品が多種多様、日々進歩しながら人々に受け入れられる時代になっているが、外部から見るとどの程度役立っているか不明である。しかし折り紙は、形として表わされ、外部の人との会話が生まれる要素を持ち、折り紙も日々進歩している。
【発明の開示】
【発明が解決しようとする課題】
【０００５】  廃棄処分になるノート又は事務用箋から、無料の折り紙を切り取る方法を提供することである。【０００６】  折り紙を折り、外部に示すことにより、外部の人と会話が生まれ、各自の脳の活性化に役立つ方法を提供することである。
【課題を解決するための手段】
【０００７】  ノート又は事務用箋の特定罫線に、１点又は２点の印を付け、印の上を通る直線によって、正方形が表示されることを特徴とする。【０００８】  印を付けたノート又は事務用箋が、使用済又は使用途中で廃棄処分になる場合は、印により正方形に切り取り、無料の折り紙にして、練習用又は折ることによる脳の活性化に貢献出来ることを特徴とする。【０００９】  折り紙を折ることにより、外部に形を表わすことは、外部の人との接触が生まれる機会が多くなることを特徴とする。
【発明の効果】
【００１０】  ノート又は事務用箋を見て、印が付いていれば折り紙に転用出来ると認識され、同じような品物が同じ価格であれば、誰もが印を付けたノート又は事務用箋を購入する。【００１１】  廃棄処分になるノート又は事務用箋から、無料の正方形の練習用折り紙が得られ、折り紙を購入する経済的負担が無くなる。【００１２】  折り紙をすれば、成果として外部の人に形として表わすので、外部の人と連帯感が生まれる場合がある。
【発明を実施するための最良の形態】
【００１３】  以下、添付の図面に基づいて本発明の実施例を説明する。【００１４】  図１はノート又は事務用箋で、綴じるための糊しろ１を左側辺７にした縦２５０ｍｍ、横１８０ｍｍ、各罫線２は１６０ｍｍ、左右１０ｍｍの余白があり、８ｍｍ間隔である。
特定罫線３の両端部をＡ、Ａ′とし、端部ＡからＡ′を通り、側辺７との交わりを側点Ｂ′とすると、端部Ａと側点Ｂ′の長さは１７０ｍｍとなる。
端部Ａより垂直に底辺８との交わりを底辺Ｃ、側点Ｂ′を含む側辺７と底辺８との交わりを角点Ｄ′とし、端部Ａと底点Ｃ間、側点Ｂ′と角点Ｄ′間を１７０ｍｍとする。
即ち、上記の条件を満たした特定罫線３の端部Ａに十字印５を１点付けておけば、十字印５より水平に罫線３の上を側辺７迄と垂直に各罫線２の端部上を底辺８迄、直線を画することにより正方形４が表示される。【００１５】  図２は糊しろ１が上辺６にあるノート又は事務用箋で図１と同じ縦２５０ｍｍ、横１８０ｍｍ、各罫線２は１６０ｍｍ、左右１０ｍｍの余白があり、８ｍｍの間隔である。
特定罫線３の両端部をＡ、Ａ′、左右に伸ばした両側辺７との交わりを側点Ｂ、Ｂ′、両側辺７と底辺８との交わりを角点Ｄ、Ｄ′とし、側点Ｂと角点Ｄ間、側点Ｂ′と角点Ｄ′間を１８０ｍｍとする。
即ち、上記の条件を満たした特定罫線３の端部Ａに十字印５を１点付けておけば、十字印５より水平に直線で罫線３の上を画することにより正方形４が表示される。【００１６】  図３は糊しろを左側辺して、縦１８０ｍｍ、横２５０ｍｍ、各罫線１６０ｍｍ、左右１０ｍｍの余白があり、１０ｍｍの間隔である。
上辺６に最も近い罫線２と底辺８に最も近い罫線２を特定罫線３とし、両特定罫線３より側辺７に伸ばした交わりを着点Ｅ、Ｅ′とし、着点Ｅ、Ｅ′より１８０ｍｍの長さの特定罫線３の到着点を端部Ａ、Ａ′とする。
即ち、上記の条件を満たした特定罫線３の端部Ａ、Ａ′に十字印５を付けて、両十字印５を直線で上辺６、底辺８迄伸ばすことにより正方形４が表示される。【００１７】  ノート又は事務用箋のサイズ、罫線２の長さ、間隔は自由に設定し、十字印５の位置も変えられるが、十字印５又はそれに類する印の上を通る直線によって、正方形４が表示されることを原則とする。
【図面の簡単な説明】
【００１８】
【図１】のりしろを左側に、罫線を横に引いた縦型のノート又は事務用箋の正面図
【図２】のりしろを上辺に、罫線を横に引いた縦型のノート又は事務用箋の正面図
【図３】のりしろを左側に、罫線を横に引いた横型のノート又は事務用箋の正面図
【符号の説明】
【００１９】Ａ、Ａ′  端部
Ｂ、Ｂ′  側点
Ｃ、Ｃ′  底点
Ｄ、Ｄ′  角点
Ｅ、Ｅ′  着点
１        糊しろ
２        罫線
３        特定罫線
４        正方形
５        十字印
６        上辺
７        側辺
８        底辺
【図１】
2010076408.tif 000003
【図２】
2010076408.tif 000004
【図３】
2010076408.tif 000005
(57)【要約】【課題】従来のエンジン始動用電動モータを有する手作業機においてはバッテリー充電用の発電機のメンテナンスが容易にできず、また、跡付けできない欠点があった。【解決手段】本発明のエンジン始動用電動モータを有する手作業機においては、エンジンと、このエンジンの始動用電動モータと、この電動モータ駆動用バッテリーと、このバッテリーを充電するための発電機と、この発電機を駆動するための駆動輪と、上記電動モータによって回転されるクラッチドラムと、このクラッチドラムを囲むクラッチドラムハウジングと、上記クラッチドラムの外周面の一部を露出するよう上記クラッチドラムハウジングに形成した切り欠き部と、この切り欠き部を介して上記発電機の駆動輪を上記クラッチドラムの外周に対接するよう上記発電機を上記クラッチドラムハウジングに取り付けるための取付手段とより成ることを特徴とする。【選択図】図１
2010273507.tif 000002
【特許請求の範囲】
【請求項１】
エンジンと、このエンジンの始動用電動モータと、この電動モータ駆動用バッテリーと、このバッテリーを充電するための発電機と、この発電機を駆動するための駆動輪と、上記電動モータによって回転されるクラッチドラムと、このクラッチドラムを囲むクラッチドラムハウジングと、上記クラッチドラムの外周面の一部を露出するよう上記クラッチドラムハウジングに形成した切り欠き部と、この切り欠き部を介して上記発電機の駆動輪を上記クラッチドラムの外周に対接するよう上記発電機を上記クラッチドラムハウジングに取り付けるための取付手段とより成ることを特徴とするエンジン始動用電動モータを有する手作業機。
【発明の詳細な説明】
【技術分野】
【０００１】
本発明はエンジン始動用電動モータを有する手作業機、特に、電動モータ駆動用バッテリーの充電用発電機を有する携行刈払機、チェーンソー、芝刈機、背負い式芝刈機、動力散布機、エンジンブロアー、ダスター、ヘッドトリマーなどの各種の手作業機に関する。
【背景技術】
【０００２】
エンジン始動用電動モータを有する手作業機としては例えば特許文献１に示されたものがある。
【先行技術文献】
【特許文献】
【０００３】
【特許文献１】特開２００６−２５８０９０号公報
【発明の概要】
【発明が解決しようとする課題】
【０００４】
然しながら上記従来の手作業機では電動モータ駆動用のバッテリーの充電用発電器が手作業機のケース内部に組み込まれており、その修理点検が極めて困難であると共に、後付けができない等の欠点があった。
【０００５】
本発明は上記の欠点を除くようにしたものである。
【課題を解決するための手段】
【０００６】
本発明のエンジン始動用電動モータを有する手作業機は、エンジンと、このエンジンの始動用電動モータと、この電動モータ駆動用バッテリーと、このバッテリーを充電するための発電機と、この発電機を駆動するための駆動輪と、上記電動モータによって回転されるクラッチドラムと、このクラッチドラムを囲むクラッチドラムハウジングと、上記クラッチドラムの外周面の一部を露出するよう上記クラッチドラムハウジングに形成した切り欠き部と、この切り欠き部を介して上記発電機の駆動輪を上記クラッチドラムの外周に対接するよう上記発電機を上記クラッチドラムハウジングに取り付けるための取付手段とより成ることを特徴とする。
【発明の効果】
【０００７】
本発明のエンジン始動用電動モータを有する手作業機によればバッテリー充電用発電機として従来公知の例えば市販の自転車ライト用発電機をそのまま手作業機に後付けで付加できるので、そのメンテナンスが極めて容易となり、また、バッテリーを小型軽量のものとなし得るようになる。
【図面の簡単な説明】
【０００８】
【図１】バッテリー充電用発電機を取り付けた本発明手作業機の斜視図である。
【図２】図１の分解斜視図である。
【図３】図１に示す手作業機のクラッチ部分の端面図である。
【図４】手作業機に取り付けるバッテリー充電用発電機の斜視図である。
【図５】図４に示す発電機の縦断側面図である。
【発明を実施するための形態】
【０００９】
以下図面によって本発明の実施例を説明する。
【実施例１】
【００１０】
図１はバッテリー充電用発電機を着脱自在に取り付けた本発明手作業機の斜視図、図２はその分解斜視図、図３は図１に示す手作業機のクラッチ部分の端面図、図４は手作業機に取り付けるバッテリー充電用発電機の分解斜視図、図５は図４に示す発電機の縦断側面図である。
【００１１】
また、符号１は例えば刈払機用内燃エンジンのケーシング、２はエンジン始動用電動モータ（図示せず）によって始動されるエンジンの回転が所定値以上になったとき回転されるクラッチドラム、３はエンジンの回転を刈払機の刈刃（図示せず）に伝達するための駆動軸、４は上記クラッチドラム２をカバーするクラッチドラムハウジン、５はバッテリー充電用発電機、６はこの発電機５を駆動するための駆動輪、７は発電ヨークアセンブリ、８は発電機ハウジング、９はこの発電機ハウジング８を上記クラッチドラムハウジング４に取り付けるためのアーム、１０は整流器、１１はエンジン始動用電動モータ駆動用バッテリーを示す。
【００１２】
本発明においては図２に示すようにクラッチドラムハウジング４の外周の一部に切り欠き１２を形成して上記クラッチドラム２の外周面の一部を外部に露出せしめ、この露出されたクラッチドラム２の外周面に上記切り欠き部１２を介して上記発電機６の駆動輪７を対接せしめるようアーム９によって発電機ハウジング８を図１及び図３に示すようにクラッチドラムハウジング４に着脱自在に取り付ける。
【００１３】
本発明のエンジン始動用電動モータを有する手作業機は上記のような構成であるから、従来の手作業機のクラッチドラムハウジングの外周の一部を切り取ることでバッテリー充電用の発電機を極めて簡単容易に手作業機に後付けで取り付けることができ、そのメンテナンスが容易になると共に、手作業機のバッテリーを小型軽量化できる等大きな利益がある。
【符号の説明】
【００１４】
１  ケーシング
２  クラッチドラム
３  駆動軸
４  クラッチドラムハウジング
５  充電用発電機
６  駆動輪
７  発電ヨーク部分
８  発電機ハウジング
９  アーム
１０  整流器
１１  エンジン始動用電動モータ駆動用バッテリー
１２  切り欠き
【図１】
2010273507.tif 000003
【図２】
2010273507.tif 000004
【図３】
2010273507.tif 000005
【図４】
2010273507.tif 000006
【図５】
2010273507.tif 000007
(57)【要約】【課題】パン生地等の醗酵が、一般家庭で容易にかつ良好な条件で行え、かつ収納に容易な折りたたみ式の醗酵器を提供することである。【解決手段】      断熱シートを縫製又は溶着して組み立てた折りたたみ式の醗酵器である。内部に保温材と保湿材を設置することが出来るものである。【選択図】図１
2010273666.tif 000002
【特許請求の範囲】
【請求項１】
保温材を内封する断熱性を有するシートを縫製又は溶着させて形成した箱形の容器であって、不使用時は折りたたみ収納できる機能を備え、温度と湿度を調整するための蓄熱材と保湿材を内部に設置が可能なパン用の醗酵器
【発明の詳細な説明】
【技術分野】
【０００１】    本発明は、パン生地やベーキング前に醗酵工程を必要とする食材の発酵に適した温度、湿度の調整が容易に出来る醗酵器に関する。
【背景技術】
【０００２】    パン等の生地を醗酵させるための装置としては、電気的な加温や調湿装置を備えた業務用の醗酵器が種々提案されている。これらは一般に大型の装置で設置場所も限られ業務用以外では使いづらい欠点があった。業務用ではなく一般家庭でパンを醗酵させる際には、種々の工夫がなされてきた。例えば、大きめの発泡スチロールにお湯をはった容器を入れ、ビニール袋の中にスッポリ天板を入れて醗酵させる方法がある。この方法は、特別の設備は要しないが温度及び湿度の管理が難しく醗酵が上手くいかない。特に外気温に変動に対しての制御は不可能に等しい。また、オーブンやオーブンレンジを使用すると、過醗酵になりやすいうえに湿度の調整は出来なかった。一方、簡易型の保温機能を有する醗酵器が提案されている。（例えば特許文献１）しかし、この技術は保温のみの機能で調湿という重要な醗酵条件を維持するものではなかった。
【特許文献１】登録実用新案第３１０７１５０号
【発明の開示】
【発明が解決しようとする課題】
【０００３】  本発明者は、前述の問題点に鑑み一般家庭で特別の設備を必要とせず、かつ安定した醗酵条件が得られる装置を鋭意検討して本発明に到達した。
【課題を解決するための手段】
【０００４】  本発明は、一般家庭に適したコンパクトな大きさ（焼成の際使用する天板が１枚入り、食パンが出来る高さ）で、不使用時は折りたたみ収納が出来る機能を備え、温度と湿度の調整は、既存製品の蓄熱剤を利用し温度を保持し、また保湿材により適度な湿度を保つことが出来ることにより適切な醗酵状態を作る醗酵器である。
【発明の効果】
【０００５】  本発明によれば、一般家庭においても外気温によらず、常に一定の醗酵条件が得られ、食感に優れたパンを焼くことが出来る。又、不使用時は折りたたむことにより収納も容易である。更に電気設備等も必要とせず場所を選ばずに醗酵を行うことが出来る。この醗酵器は、パン生地の醗酵のみでなく、ピザ生地、ナン、だんご汁等の醗酵にも用いられる。
【発明を実施するための最良の形態】
【０００６】  図１に例示したような内部に保温材シートを有し防湿性のアルミシートと外皮にポリエステル等のシートを貼り合わせた断熱シートを縫製又は溶着により箱型で上部が開閉式の醗酵器を組み立てた。内部に蓄熱剤（保持温度は例えば、６５℃や８０℃）と保水が出来るタオル等が設置されたものである。
【実施例】
【０００７】  表皮がポリエステル製で内皮がアルミシートである断熱シート（厚み５ｍｍ）を切断、縫製して縦３００ｍｍ、横４００ｍｍ、高さ２００ｍｍで上部が開閉式の醗酵器を組み立てた。これは折りたたみが出来る構造である。【０００８】  本醗酵器を用いてパン生地の醗酵を行った。まず、蓄熱剤を５分間熱湯中で煮沸、加熱し、タオルを湯で軽く絞りその蓄熱剤に巻き内部に設置して、設置後一時間後で温度４２℃、湿度７８％を保つことが出来、適切な醗酵がえられた。
【図面の簡単な説明】
【０００９】
【図１】本発明の実施形態である醗酵器の組立時の図である
【００１０】
【図２】本発明の実施形態である醗酵器の折りたたみ状態の図である。
【図１】
2010273666.tif 000003
【図２】
2010273666.tif 000004
(57)【要約】【課題】  海洋深層水にはミネラル成分が豊富であり、清浄性にも優れていることと、四季折々に咲き誇る花々をそのままの状態で長期保存することが出来ないものかと考慮し、それらを冷凍させ、お刺身のつま等の役割を果たす冷凍物を新しく開発する。【解決手段】  海洋深層水は冷凍すると、塩分が凝固し透明度が低くなるので、真水で約１：１の割合で調合したものを沸騰殺菌処理した状態で、ジッパー付きビニール袋に洗浄した生花々と一緒に入れ同袋内の気泡を抜き出しチャックをして、トレーに花面を下にして冷凍させた冷凍物である。【選択図】図１
2010273668.tif 000002
【特許請求の範囲】
【請求項１】
海洋深層水と真水を約１：１の割合で調合し煮沸殺菌処理したものと、清潔な流水で洗浄した生花々を一緒に、ジッパー付きビニール袋に入れ冷凍するプロセスを特徴とする海洋深層水と生花の冷凍物。
【発明の詳細な説明】
【技術分野】
【０００１】  本発明は海洋深層水（海水）と生花を利用する冷凍物に関するものである。
【背景技術】
【０００２】  この海洋深層水の活用した例に、「有機ぜんまい水煮の製造方法」、「高濃度塩水の製造方法および海水の濃縮システム」、「レトルト食品の製造方法」、「深層水粉末と深層水錠剤」等々があるが、生花と海洋深層水を使った冷凍物は知られていない。
【発明が解決しようとする課題】
【０００３】  この冷凍物が現在製造販売されていないので、この発明で海洋深層水の使用が増大され、食文化に新しい分野を提供すること。
【課題を解決するための手段】
【０００４】  海洋深層水と真水を約１：１の割合で調合し煮沸殺菌処理したものと、清潔な流水で洗浄した生花々を一緒に、ジッパー付きビニール袋に入れ冷凍するプロセスを特徴とする海洋深層水と生花の冷凍物として課題を解決する。
【発明の効果】
【０００５】  この冷凍物を、祝事（正月・結婚披露宴等）や大切な方へのもてなしの食膳で魚介類のお刺身等の下に敷いて提供することにより、美しい演出が図られる。このような海洋深層水の使用方法により食文化に新しい分野を提供し、同水の利用の増大が期待できる。
【０００６】  常温でのこの冷凍物は時が経つと表面が解けかけ、海洋深層水の塩分等とお刺身がマッチされ塩味が沁みて美味なものとなる。その上、海洋深層水に包まれてる生花々が、つまの役割を果たし、より一層、食の美が増して食欲をそそる。
【０００７】  海洋深層水は清浄性に優れているので、お刺身の鮮度が長持ちする。よって、食の衛生面での効力も発揮される。
【０００８】  お刺身の他、冷やし麺・そうめん等清涼感を要する料理での活用も出来る。そうめん・冷麦等を冷水の入れた器に本発明を一緒に入れると、つけダレが徐々に薄味になるが、本発明からの塩味が冷水に徐々に解けて、最後まで美味しく食が楽しめる。
【図面の簡単な説明】
【０００９】
【図１】  本発明の一実例の工程図である。
【実施例】
【００１０】  揚水してあまり日がたってない海洋深層水１と真水（上水道水）２を１：１の割合で調合、また花を入れたビニール袋の厚さが１ｃｍ以下の場合は３：２で調合した３を沸騰殺菌４の処理したものと、咲き始めたばかりの生花々（桜・つつじなど）５を流水で洗浄処理６したものとをジッパー付きビニール袋７にバランス調整して入れて、それを発泡スチロール等８のトレイに乗せ、冷凍庫に水平に置き冷凍９する。【００１１】  冷凍保存１０はマイナス２０〜２５℃で保存する。【００１２】  本発明を使用するときは、ぬるま湯で温めビニール袋から取り出し、刺身に使う時は食器の大きさに合わせて角をカットして、またそうめん等を冷やす冷水にはそのまま入れて使用する。
【符号の説明】
【００１３】  １  海洋深層水
２  真水
３  １と２を一定の割合（約１：１〜３：２）で調合したもの
４  沸騰殺菌処理
５  生花々
６  流水で洗浄処理
７  ４と６されたものをジッパー付きビニール袋に入れて花のバランスを調整する
８  ７をトレーに乗せる
９  冷凍処理
１０  冷凍保存
【図１】
2010273668.tif 000003
【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
海洋深層水と真水を約１：１の割合で調合し煮沸殺菌処理したものと、清潔な流水で洗浄した生花々を一緒に、ジッパー付きビニール袋に入れ冷凍することにより製造される海洋深層水と生花の冷凍物であって、冷やし麺・そうめん等清涼感を要する料理、及び、刺身に用いる冷凍物。
(57)【要約】【課題】  高い所の果実を収穫するとき、果実を地面に落さず効率よく取るために、高所果実取り鋏の支柱に沿ってスライドする棒を設け、この棒に折りたたみ可能な受け口を持つ袋を設けた果実取り具を提供する。【解決手段】  高所果実取り鋏の支柱（１）の端に反転レバー受け（４）を設け、側面に脱着ベルト（８）を用いてスライド棒（３）を設け、スライド棒（３）の端に支点（１０）（１０’）によって支えられた受け口（６）と反転レバー（５）（５’）を持つ誘導袋（７）を設けた果実取り具を特徴とする。【選択図】図５
2010273669.tif 000002
【特許請求の範囲】
【請求項１】
高所果実取り鋏の支柱（１）の端に反転レバー受け（４）を設け、側面に脱着ベルト（８）を用いてスライド棒（３）を設け、スライド棒（３）の端に支点（１０）（１０’）によって支えられた受け口（６）と反転レバー（５）（５’）を持つ誘導袋（７）を設けた果実取り具。
【発明の詳細な説明】
【技術分野】
【０００１】  この発明は、高所果実取り鋏の支柱に沿ってスライド棒を設け、スライド棒に回動可能な受け口を持つ誘導袋を設けた果実取り具に関するものである。
【背景技術】
【０００２】  従来、高所果実取り鋏で果実を取る場合、地面に落とし傷つけることが多かった。
その課題を解決する発明が文献１に開示されている。
【文献１】
特開２００７−６８４２１    果実採り具
【発明の開示】
【発明が解決しようとする課題】
【０００３】  上記文献１に開示されている先行技術は、高所果実取り鋏の切り落とし側に枠を設けて切り落とした果実を受けるというものである。
これは、次のような欠点があった。
この技術は、果実を確実に受けるようにするために枠を大きくする必要がある。その枠が枝にひっかかる、刃先を見えにくくするという欠点である。本発明は、以上のような欠点をなくすためになされたものである。
【課題を解決するための手段】
【０００４】  高所果実取り鋏の支柱（１）の端に反転レバー受け（４）を設け、側面に脱着ベルト（８）を用いてスライド棒（３）を設け、スライド棒（３）の端に支点（１０）（１０’）によって支えられた受け口（６）と反転レバー（５）（５’）を持つ誘導袋（７）を設ける。
本発明は、以上の構成よりなる果実取り具である。
【発明の効果】
【０００５】１．スライド棒を手元側に引くと受け口が折りたたまれ、枝にひっかからず、刃先が良く見える。
２．果実を包み込む方式なので、受け口を最小にできる。
３．誘導袋により、果実を手元に運ぶことができる。
４．構造が簡単で安価に製造可能である。
【発明を実施するための最良の形態】
【０００６】  以下、本発明を実施するための最良の形態について説明する。
高所果実取り鋏の支柱（１）に沿ってスライド棒（３）を上下にスライド可能なように脱着ベルト（８）を設ける。この脱着ベルト（８）により、枝の伐採時は本発明の果実取り具を高所果実取り鋏から取り外します。
高所果実取り鋏の支柱（１）の端に反転レバー受け（４）を固定します。
スライド棒（３）の端に支点（１０）（１０’）により支えられた受け口（６）を設ける。
受け口（６）に、支点（１０）（１０’）をはさんで反対側に反転レバー（５）（５’）を設ける。反転レバー（５）（５’）は、反転レバー受け（４）に引っかかるようにカーブした形状をしている。
受け口（６）をスライド棒（３）側にたたまれるようにするため、スライド棒（３）と受け口（６）の間にバネ（９）を設ける。
受け口（６）を果実取り込み口とする誘導袋（７）を設け、その長さは手元まで達するものとする。【０００７】次に本発明の使用方法について説明する。
本発明を高所果実取り鋏に装着し、果実（１１）を切りつかんだまま枝の無い所に引き寄せる。図３はこの状態を表わしている。
次に、スライド棒（３）をつかみ鋏（２）の方向にスライドさせる。これにより反転レバー（５）（５’）が、反転レバー受け（４）に接して受け口（６）を果実（１１）の方向に回動させる。図４はこの状態を表わしている。
図５は、受け口（６）が果実（１１）を包み込んでいる。この状態で果実（１１）をつかみ鋏（２）から離せば、地面に落とすことなく誘導袋（７）を通って手元に運ぶことができる。
【図面の簡単な説明】
【０００８】
【図１】  高所果実取り鋏先端部の斜視図である。
【図２】  本発明の斜視図である。
【図３】  本発明の使用状態斜視図である。
【図４】  本発明の作動途中状態斜視図である。
【図５】  本発明の使用状態斜視図である。
【符号の説明】
【０００９】１          高所果実取り鋏の支柱
２          つかみ鋏
３          スライド棒
４          反転レバー受け
５、５’    反転レバー
６          受け口
７          誘導袋
８          脱着ベルト
９          バネ
１０、１０  支点
１１        果実
【図１】
2010273669.tif 000003
【図２】
2010273669.tif 000004
【図３】
2010273669.tif 000005
【図４】
2010273669.tif 000006
【図５】
2010273669.tif 000007
(57)【要約】      （修正有）【課題】従来の煎餅にはなかった煎餅で、日本食文化の中のすき焼味を付与し、手軽に歩きながら食べられるようにした煎餅を提供する。【解決手段】牛肉、ねぎ等を、化学調味料を一切使わず、醤油、塩、砂糖、酒、ミリン等で煮詰めてすき焼きの割下（タレ）を作成する。ついで、煎餅の材料であるうるち米の米粉に、この割下（タレ）を練り込み焼き上げてすき焼き煎餅を調製する。このすき焼き煎餅には、固焼煎餅やぬれ煎餅などの種類もある。【選択図】なし【特許請求の範囲】
【請求項１】
すき焼きの割下を練り込んだ煎餅である。固焼
【請求項２】
ぬれ煎餅もある。
【発明の詳細な説明】
【技術の分野】
【０００１】  従来の煎餅の固焼、ぬれ煎餅の技術で十分対応出来る技術である。
【背景技術】
【０００２】  日本全国、御当地煎餅があるように、牛肉またはすき焼きが大好きな日本人に合うすき焼き味の煎餅を考案、発明したのである。
【発明の開示】
【発明が解決しようとする課題】
【０００３】  煎餅の材料、米粉にすき焼きの割下を練り込み、すき焼きの味、風味を付け焼き上げた煎餅である。
【課題を解決するための手段】
【０００４】  煎餅をすき焼きの味にするために、すき焼きの割下（タレ）を牛肉、ねぎ等を醤油、塩、砂糖、酒、ミリン等で煮詰めて、それを煎餅の材料に練り込み、焼き上げたものである。
【発明の効果】
【０００５】  御当地煎餅ですき焼きの味のする煎餅がなかったので、大変好評であった。
【発明を実施するための最良の形態】
【０００６】  色々な煎餅があるが、日本人の大好物であるすき焼き、それを手軽に歩きながら食べられるようにした煎餅である。
【実施例】
【０００７】  煎餅の材料、米粉にすき焼きの割下（タレ）を練り込み焼き上げた煎餅である。
【産業上の利用可能性】
【０００８】  今までにない味のする煎餅で、御当地煎餅として観光地などでは大変評判が良く、新しい煎餅として利用の可能性は大である。
【図面の簡単な説明】
【０００９】
【図１】  製造工程
【図１】
2010273664.tif 000002
(57)【要約】【課題】本発明は、従来のおからこんにゃくのダイエット効果だけにとどまらず、まいたけの有する生活習慣病、メタボリックシンドロームの予防、改善、抗癌、抗エイズ作用、その他諸々の優れた薬効を取り入れた食材をつくり、さらにはダイエット中に肉食の制限からくるストレスを改善させるため食肉感のあるまいたけこんにゃくを提供する。【解決手段】加熱後どろどろにしたまいたけと上新粉にこんにゃく原料を混ぜ合わせ成型加熱し固めたものを冷ました後、凍結、解凍その後水分を１０〜２０％脱水する。【特許請求の範囲】
【請求項１】
加熱後どろどろにしたまいたけと上新粉にこんにゃく原料を混和し、成型加熱後さまし凍結、解凍し、その後水分を１０〜２０％脱水することを特徴とするまいたけこんにゃく。
【発明の詳細な説明】
【技術分野】
【０００１】  本発明は、こんにゃく及びまいたけを主体とした加工食品に関するものである。
【背景技術】
【０００２】  従来、こんにゃくにおからを混和して加工食品を製造することによって低カロリーを実現し、健康食品、ダイエット食品として利用されていることは知られている（特許文献１参照）。
【特許文献１】特許公開２００２−２７２４０１
【発明の開示】
【発明が解決しようとする課題】
【０００３】  本発明は、従来のおからこんにゃくのダイエット効果だけにとどまらず、まいたけの有する生活習慣病、メタボリックシンドロームの予防、改善、抗がん作用、抗エイズ作用その他諸々の優れた薬効をもあわせ持ったこんにゃくの加工食材をつくり、さらにはダイエット中に肉食等の制限からくるストレスを改善させるため、食肉感のあるまいたけこんにゃくをつくることを課題とし解決するためになされたものである。
【課題を解決するための手段】
【０００４】  加熱後どろどろにしたまいたけと上新粉に、こんにゃく原料を混ぜ合わせ熱し固めたものを冷ました後、凍結解凍し、その後１０％〜２０％脱水することを特徴とするまいたけこんにゃくである。
【発明の効果】
【０００５】      本発明は食物繊維が豊富で低カロリーなこんにゃくと混和する食材が、重ねて食物繊維が豊富で低カロリーのきのこであるまいたけであり、かつ、まいたけには生活習慣病、メタボリックシンドロームの予防、改善、抗がん作用、抗エイズ作用その他諸々のすばらしい薬効が期待できる。加えて、その薬効を取り入れながら、食してみると食肉感あるため、ダイエットによるストレスを軽減させる効果も期待できる。
【発明を実施するための最良の形態】
【０００６】以下、本発明の実施の形態を説明する。
（イ）２５０ｇの軽くゆでたまいたけと水とでカップの目盛り４００ｃｃ▲１▼とする。
（ロ）フードカッターに▲１▼を入れ、上新粉２０ｇも入れる。スイッチを入れ、どろどろ▲２▼にする。
（ハ）その▲２▼の中に２０ｇの手作りこんにゃくの素（こんにゃく粉＋水酸化カルシウム）を入れよくかき混ぜ成型▲３▼する。
（ニ）▲３▼を１〜２時間放置後１５〜２０分ゆで、自然にさます▲４▼。
（ホ）さめた▲４▼を冷凍し凍結後解凍する▲５▼。
（ヘ）解凍後の▲５▼を１０〜２０％脱水する。
本発明は以上の構成よりなっている。
(57)【要約】【課題】  従来のマルチウエイ・スピーカーシステムには、聴取位置において低音、中音、高音各スピーカーユニットから到達する時間差が生じ、位相的にずれを生じ、音歪みや音質劣化を伴うという問題があった。【解決手段】  本発明は、係る課題をスピーカーシステムに対し、仰角θをもつスピーカー台により、時間差を一致させ、位相特性や音質面の向上に寄与するものとした。【選択図】図２
2010273312.tif 000002
【特許請求の範囲】
【請求項１】
既存の一般市販マルチウエイ・スピーカーシステムに仰角θをつけ、スピーカーシステムの後方を下げ、前方を上げて設置する構造により、マルチウエイ・スピーカーシステムの音質向上をはかることを特徴とするスピーカー台。
【発明の詳細な説明】
【技術分野】
【０００１】  本発明は、既存の市販スピーカーシステムをより良い音質にて聴取できるよう、構築した高音質用スピーカー台に属する。
【背景技術】
【０００２】
【先行技術文献】
従来のスピーカー台としては、多種多様な製品が市場にはあり、文献としては、（例え  ば、実用新案文献１参照）などがある。
【実用新案文献】
【０００３】
【実用新案文献１】
実用新案公開平５−２３６９３号
【０００４】  従来のスピーカー台に於ける音質改善方法は、（実用新案文献１）にあるように大変複雑な構造をしていた。
【発明の概要】
【発明が解決しようとする課題】
【０００５】  従来の音質改善スピーカー台では、現状の市販スピーカーシステムにおける音質上の問題点を改善する機能は考慮されていなかった。【０００６】  例えば、図１に上から高音用ツイーター１、中音用ミッドレンジ２、低音用ウーファー３と３個のスピーカーユニットが配置された、市販の３ウエイマルチウエイスピーカーシステムの断面図を示す。【０００７】  図から明らかなように、ウーファーの発音源であるコーン紙を駆動するボイスコイルの前後位置が、他の２個のユニットに比べ、後方に下がっている。この様子を図１中のｔ部に示す。この位置関係のまま３個のスピーカーに同時に同位相の音が加わった場合、ウーファーから出た低音が、他の２個に比べて時間的に遅れることは明白である。このことは３個のユニットから発する音のタイミングが聴取位置では一致せず、結果的には３個のユニットから発せられた音が時間差を生じて到達することになり、位相的にずれを生じ、音歪みや音質劣化を伴う原因となる。
【課題を解決するための手段】
【０００８】  請求項１に記載のスピーカー台は、上記課題を鑑み、市販マルチウエイ・スピーカーシステム本体には一切手を加えることなく、スピーカー台のみによって、この課題を解決するものである。【０００９】  本発明の根源をなすのは「市販マルチウエイ・スピーカーシステムを後方に傾ける」という手段である。その概念を図２に示す。【００１０】  図２に於いて重要なのは傾きの角度θ（シータ）である。スピーカーシステムはｂ−ｇ間に乗せる。この角度を設けることによりマルチウエイ・スピーカーシステムのウーファーの発音位置は事実上前方に出て、ミッドレンジとツイーターの発音位置は後方に下がることになる。その結果、３個のスピーカーユニットから発する音は、聴取位置に於いて到達タイミング、並びに位相が一致する。
【発明の効果】
【００１１】  上記理由により、きわめて明確な定位と音質が得られることとなる。また、結果的に指向性の鋭いミッドレンジとツイーターを斜め上に向けることになるので、床の絨毯やカーペットによる中高音の吸収を防止し、離れた聴取位置まで明確なサウンドを届けることができるという特徴も有する。【００１２】  さらに、本発明の効果は、図３のａ−ｂとｃ−ｄを同一直線上とし、長さａ−ｅとｄ−ｆを同一高さ構造にすると、スピーカー台の上下を反転して使用することにより、角度θをつけずに、スピーカーの前後が水平な通常のスピーカー台としても使用できる特徴も有する。【００１３】  また、このことは角度を付けた場合と付けない場合の両方の音質の比較もでき、好みにより、２通りの音質を楽しむこともできる。【００１４】  スタンドの構成はＨ部、Ｘ部、Ｚ部の３ピースからなり、Ｈ部はＸ部とＺ部を連結しつつ強度をもたせるのと同時に、正面から見て背後が見えないように目隠しの役割もしている。【００１５】  本スピーカー台は、この３ピースのパーツ構成により、ユーザーが自身で簡単に組み立てる事もでき、容積を取らずに小さく梱包出来るので、製造、保管、発送時のコスト軽減にも寄与する。
【図面の簡単な説明】
【００１６】
【図１】  市販の３ウェイスピーカーシステムの断面図である。
【図２】  図１のスピーカーシステムに本発明の傾斜角θを付けたスピーカー台に乗せた側面図である。
【図３】  本発明のスピーカー台の側面図でありａ−ｅが正面、ｄ−ｆが背面側である。
【図４】  本発明のスピーカー台の立体図でありＨ部によりＺ部とＸ部を連結している。
【発明を実施するための形態】
【実施例１】
【００１７】  以下、本発明の実施の形態を説明する。
図２に於いて、この発明の実施の形態の例を示す。【００１８】  同図に於いてスピーカーシステムに傾斜角を付け、セットした状態の図である。
傾斜角により各ユニットの位置関係が一致し位相特性等を合わせることが可能になる。
【産業上の利用可能性】  今までに多くのスピーカーシステムが販売されており、歴史的な名器として楽しんでいるユーザーも多い。本スピーカー台を使用することにより、そのスピーカーシステムの真の実力を感じてもらい、名器の音色に改めて感動してもらえるという意義ある大きな可能性を有している。
【符号の説明】
【００１９】１、  ツイーター、高音用スピーカーユニット部
２、  ミッドレンジ、中音用スピーカーユニット部
３、  ウーファー、低音用スピーカーユニット部
Ｈ、  Ｘ部とＺ部の連結部
Ｘ、  スピーカー台の側板部
Ｚ，  スピーカー台の側板部
ａ、  Ｘ部及びＺ部におけるエッジ部
ｂ、  Ｘ部及びＺ部におけるエッジ部
ｃ、  Ｘ部及びＺ部におけるエッジ部
ｄ、  Ｘ部及びＺ部におけるエッジ部
ｅ、  Ｘ部及びＺ部におけるエッジ部
ｆ、  Ｘ部及びＺ部におけるエッジ部
ｇ、  Ｘ部及びＺ部におけるエッジ部
ｔ、  ウーファーにおける位置ずれ部
【図１】
2010273312.tif 000003
【図２】
2010273312.tif 000004
【図３】
2010273312.tif 000005
【図４】
2010273312.tif 000006
(57)【要約】      （修正有）【課題】寝たきり高齢者介護での、オムツ交換の重労働を軽減する装置を提供する。【解決手段】介護用品に関するものであり、尿取りキャップを使うことによって、オムツ内に尿を出さずに、チューブを通して尿パックに流し入れるようにしたものである。尿取りカップ１を作り、丸い穴３をもうけた、ゴムキャップ４を取り付け、ペニス亀頭部を入れ、ゴムの弾力性で密着し、チューブを通して、尿パックに収納して、オムツ交換の手間を省く。【選択図】図３
2010273990.tif 000002
【特許請求の範囲】
【請求項１】
尿取りカップに、尿漏れ防止のゴムキャップを取り付け、ペニス亀頭部を入れ、ゴムの弾力性で密着し、チューブを通して尿パックに尿を収納することを特徴とする介護用尿取りパック。
【請求項２】
尿漏れ防止のキャップが、カップを覆う部分を多くして、スライドできるようにし、亀頭部を入れたあとにサイズに合わせて、ゴムキャップの穴の大きさを調節できることを特徴とする、介護用尿取りカップ。
【発明の詳細な説明】
【技術分野】
【００１】  本発明は、介護用品に関するものであり、尿取りキャップを使うことによって、オムツ内に尿を出さずに、チューブを通して尿パックに流し入れるようにしたものである。
【背景技術】
【０００２】  従来、医療機関では、膀胱内までチューブを入れて尿を出す、膀胱カテーテルがある。
介護の現場では、膀胱カテーテルは医療行為のためヘルパー、家族は見守りのみである。主流はまだオムツパットや尿瓶をコンドーム型などが使われている。
【発明の開示】
【発明が解決しようとする課題】
【０００３】  しかし、従来のようなオムツ内に尿を出すと、日に何回もオムツ交換をするため、介護が大変である。  また、コンドーム型は、陰茎部の皮膚部分が、かぶれをおこしてしまう。
本発明は、このようなオムツ交換やかぶれを軽減し、尿取りを行うことを課題とする。
【課題を解決するための手段】
【０００４】  この課題を解決するための請求項１の発明は尿取りカップ（１）の一端に穴を開けたゴムキャップ（２）を取り付ける。ゴムキャップ（２）は、亀頭部を入れたあと、ゴムの弾力性で密着して、オムツに漏れてしてしまうことを防ぎながら固定できる。亀頭部分だけをカップに入れるためかぶれも起こさず尿取りができる。【０００５】  また請求項２の発明は、ゴムキャップ（４）を左右にスライドさせ、丸穴（３）の大きさを調整できることを特徴とする。  丸穴（３）の大きさを調整し、陰茎・亀頭のサイズに合わせて密着できるので、尿漏れを防止できる。
【発明の効果】
【０００６】  本発明は、寝たきり高齢者の排尿を、オムツで取るのを、尿パックに流し込むので、オムツ交換の回数を減らすことができ、介護者の労力を軽減できる。【０００７】    図１は、カップと弾力性のあるゴムキャップの組み合わせにより、寝たきり高齢者の尿を、オムツに出さずにパックに収納することができる。【０００８】  図２は、ジョーゴ型カップとゴム製丸穴を開けた、ゴムキャップを取り付け、細くしぼんでいる方に、チューブを付けた、介護用尿取りカップの断面図である。同図に示すように、ゴムキャップの丸穴（３）より、亀頭部を入れ排尿すると、ゴムキャップ（４）の弾力性で尿漏れを止めながら、チューブ（５）を通して、尿パックに収納し、衣類への洩れを防止することができる。【０００９】これらの介護用尿取りカップの材料は、カップ部分はポリプロピレン・プラスチック、キャップ部分は、天然ゴム・プラスチックゴム、カップ部の型は、身体にフィットするような型でもよい。
【産業上の利用可能性】
【００１０】  本発明に係る介護用尿取りカップは、工業的に量産することが可能であるため、介護の現場での利用可能性を有する。
【図面の簡単な説明】
【００１１】
【図１】  ゴムキャップの一端（４）、長くした部分を左右にスライドさせて、キャップの丸い穴を大小させる、介護用尿取りカップの断面図である。
【図３】  丸穴のあるキャップ・カップ・チューブ・尿取りパックの介護用尿取りカップの斜面図である。
【等号の説明】
【００１２】１亀頭を入れるカップ
２亀頭部を入れて尿漏れの無いように密着・固定するゴムキャップ
３陰茎・亀頭サイズに合わせて開けた丸い穴の断面図
４陰茎・亀頭サイズに合わせて、穴の大きさの調整ができる、ゴムキャップの断面図
５カップからでる尿を、パックに流し込むチューブ
６尿を収納するパックの斜視図
７陰茎・亀頭部の断面図
８説明の矢印
【図１】
2010273990.tif 000003
【図２】
2010273990.tif 000004
【図３】
2010273990.tif 000005
【手続補正書】
【提出日】平成21年6月25日(2009.6.25)
【手続補正１】
【補正対象書類名】明細書
【補正対象項目名】００１１
【補正方法】変更
【補正の内容】
【００１１】
【図１】  カップ（１）に弾力性のあるゴムキャップ（２）を取り付け、ゴムキャップの一部分に亀頭部より、小さめの穴（３）を開けた介護用尿取りカップの断面図である。
【図２】  ゴムキャップの一端（４）、長くした部分を左右にスライドさせて、キャップの丸い穴（３）の大きさを調節し、亀頭部に合わせる事ができる介護用尿取りカップの断面図である。
【図３】  丸穴のあるキャップ・カップ・チューブ・尿取りパックの介護用尿取りカップの斜面図である。
(57)【要約】      （修正有）【課題】携帯電話のエネルギー電池の交換を不要にする。【解決手段】携帯電話の電池を太陽電池にする。【選択図】なし【特許請求の範囲】
【請求項１】
携帯電話の電池が太陽電池で使用できるようになったら
【発明の詳細な説明】
【技術分野】
【発明の開示】
【発明が解決しようとする課題】
【０００１】交換効率
太陽電池に入射した光を電気に変えることができる割合のこと。
種類によって異なるが１０％〜２０％と言われている。
太陽光のエネルギーをより無駄なく利用することが交換効率の向上が図れる。
2010109310.tif 000002
課題を解決するための手段
発電した電気は直流電気そのまま家電製品には使えない。
発明の効果
地球上のどの地域でも利用することができるエネルギー
電池の交換が不要